Podtech/llm-jp-corpus-v4-ja_patent huggingface dataset:
【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】画像処理装置および画像処理システム
【手続補正２】
【補正対象書類名】明細書
【補正対象項目名】特許請求の範囲
【補正方法】変更
【補正の内容】
【特許請求の範囲】
【請求項１】  ホスト装置となる外部装置とデータ送受信を行う送受手段と、この送受手段を介して外部装置からの印刷データを受領して印刷出力する印刷手段とを備え、
複数の電力消費モードを有し、前記送受手段を介して外部装置へこの電力消費モードの内容を通知し、且つ外部装置からの設定により、指定された電力消費モードに移行することを特徴とする画像処理装置。
【請求項２】  前記外部装置を介して、ユーザーにより電力消費モードを設定できることを特徴とする請求項１記載の画像処理装置。
【請求項３】  ホスト装置となる外部装置と、この外部装置とデータ送受信を行う送受手段と、この送受手段を介して外部装置からの印刷データを受領して印刷出力する印刷手段とを備えた複数の画像処理装置とからなる画像処理システムにおいて、
各画像処理装置が複数の電力消費モードを有し、
前記外部装置が前記送受手段を介していずれかの画像処理装置に印刷要求を出す際、ネットワーク内の各画像処理装置に対し、現時点で即時印刷可能な状態にあるかを問い合わせる照会手段と、
この照会手段による照会の結果、全てが省電力モードなど待機状態の場合は、前記外部装置が印刷可能状態までの復帰時間が最も短いものを選択して印刷を要求する選択手段とを備えたこと特徴とする画像処理システム。
【請求項４】  前記照会手段の照会に対して、各画像処理装置が保有する印刷処理能力の情報も応答することを特徴とする請求項３記載の画像処理システム。
【請求項５】  ホスト装置となる外部装置と、この外部装置とデータ送受信を行う送受手段と、この送受手段を介して外部装置からの印刷データを受領して印刷出力する印刷手段とを備えた複数の画像処理装置とからなる画像処理システムにおいて、
各画像処理装置が複数の電力消費モード有し、
前記外部装置が前記送受手段を介していずれかの画像処理装置に印刷要求を出す際、ネットワーク内の各画像処理装置に対し、現時点で即時印刷可能な状態にあるかと、当該装置が保有する印刷処理能力を問い合わせる照会手段と、
この照会手段による照会の結果と、自らが印刷要求しようとしている処理量を比較して判断する判断手段とを備え、
この判断手段の判断により、最も印刷完了が早いと予測される画像処理装置に対して印刷要求を行うことを特徴とする画像処理システム。
【手続補正３】
【補正対象書類名】明細書
【補正対象項目名】０００１
【補正方法】変更
【補正の内容】
【０００１】
【発明の属する技術分野】
本発明は、省エネルギーを考慮した画像処理装置およびこの画像処理装置に対応した画像処理システムに関する。
【手続補正４】
【補正対象書類名】明細書
【補正対象項目名】０００３
【補正方法】変更
【補正の内容】
【０００３】
【発明が解決しようとする課題】
ところで、従来の方式では単純に電源を遮断して消費電力を削減しようとしたものが多かった。しかし、複数の消費電力モード、例えば、通常動作モードへの復帰時間に着眼した待機性や部品の寿命などないくつかの注目点の個々に対して最適な状態を考慮した装置ではユーザーの意向に応じたモード選択が可能であるにも関わらずこれを有効に活用できていなかった。
また、特開平６−２５９３５９号公報記載の発明のように、ネットワーク環境下でプリンタなどの機器の電力の浪費を抑制しようとする技術は、提案されているが、電力消費の面が主体で印刷作業の効率については課題が残っている。
そこで、本発明の第１の目的は、複数の消費電力モードに対応できる画像処理装置を提供することである。
また、本発明の第２の目的は、単純に電力消費の面を考慮をするだけでなく、印刷処理完了時間の短縮を考慮して各画像処理装置を有効に活用できる画像処理システムを提供することである。
【手続補正５】
【補正対象書類名】明細書
【補正対象項目名】０００５
【補正方法】変更
【補正の内容】
【０００５】
請求項３記載の発明では、ホスト装置となる外部装置と、この外部装置とデータ送受信を行う送受手段と、この送受手段を介して外部装置からの印刷データを受領して印刷出力する印刷手段とを備えた複数の画像処理装置とからなる画像処理システムにおいて、各画像処理装置が複数の電力消費モード有し、前記外部装置が前記送受手段を介していずれかの画像処理装置に印刷要求を出す際、ネットワーク内の各画像処理装置に対し、現時点で即時印刷可能な状態にあるかを問い合わせる照会手段と、この照会手段による照会の結果、全てが省電力モードなど待機状態の場合は、前記外部装置が印刷可能状態までの復帰時間が最も短いものを選択して印刷を要求する選択手段とを備えたことにより、前記第２の目的を達成する。
【手続補正６】
【補正対象書類名】明細書
【補正対象項目名】０００６
【補正方法】変更
【補正の内容】
【０００６】
請求項４記載の発明では、請求項３記載の発明において、前記照会手段の照会に対して、各画像処理装置が保有する印刷処理能力の情報も応答することにより、前記第２の目的を達成する。
請求項５記載の発明では、ホスト装置となる外部装置と、この外部装置とデータ送受信を行う送受手段と、この送受手段を介して外部装置からの印刷データを受領して印刷出力する印刷手段とを備えた複数の画像処理装置とからなる画像処理システムにおいて、各画像処理装置が複数の電力消費モード有し、前記外部装置が前記送受手段を介していずれかの画像処理装置に印刷要求を出す際、ネットワーク内の各画像処理装置に対し、現時点で即時印刷可能な状態にあるかと、当該装置が保有する印刷処理能力を問い合わせる照会手段と、この照会手段による照会の結果と、自らが印刷要求しようとしている処理量を比較して判断する判断手段とを備え、この判断手段の判断により、最も印刷完了が早いと予測される画像処理装置に対して印刷要求を行うことことにより、前記第２の目的を達成する。
【手続補正７】
【補正対象書類名】明細書
【補正対象項目名】００１５
【補正方法】変更
【補正の内容】
【００１５】
請求項３記載の発明では、複数の消費電力モードを備えたプリンタ装置を接続した画像処理システムにおいて、ユーザーの意向に応じて最も早急に印刷処理を行えるプリンタ装置により印刷を行うことができる。
請求項４および請求項５記載の発明では、印刷装置の処理性能を装置選択時の判断に加味することにより印刷要求しようとするボリュームが大きい場合でも処理完了時間の早いものがより正確に選択できる。
【手続補正書】
【提出日】平成18年7月6日(2006.7.6)
【手続補正１】
【補正対象書類名】明細書
【補正対象項目名】請求項５
【補正方法】変更
【補正の内容】
【請求項５】  車両用内燃機関の動作状態を検出するセンサからの計測データを用いて内燃機関を制御するためのプログラムをストアするプログラム用メモリと、センサとプログラム用メモリとの出力に応答して内燃機関を制御する処理手段と、を備えた内燃機関制御装置の出力に応答し、センサの出力を時間経過に伴って表示する内燃機関の制御状態表示装置において、
センサの出力を演算する演算式を設定する演算式設定手段と、
演算式設定手段の出力に応答し、処理手段に与えられるセンサの出力のうち、前記演算式で用いられるセンサの出力を読出す読出し手段と、
演算式設定手段と読出し手段との各出力に応答し、読出されたセンサの出力を用いて前記演算式を演算する演算手段と、
処理手段および演算手段の出力のうち、表示手段によって表示すべき出力を選択して表示手段に表示させる選択手段とを含むことを特徴とする内燃機関の制御状態表示装置。
【手続補正２】
【補正対象書類名】明細書
【補正対象項目名】００１３
【補正方法】変更
【補正の内容】
【００１３】
また本発明は、車両用内燃機関の動作状態を検出するセンサからの計測データを用いて内燃機関を制御するためのプログラムをストアするプログラム用メモリと、センサとプログラム用メモリとの出力に応答して内燃機関を制御する処理手段と、を備えた内燃機関制御装置の出力に応答し、センサの出力を時間経過に伴って表示する内燃機関の制御状態表示装置において、
センサの出力を演算する演算式を設定する演算式設定手段と、
演算式設定手段の出力に応答し、処理手段に与えられるセンサの出力のうち、前記演算式で用いられるセンサの出力を読出す読出し手段と、
演算式設定手段と読出し手段との各出力に応答し、読出されたセンサの出力を用いて前記演算式を演算する演算手段と、
処理手段および演算手段の出力のうち、表示手段によって表示すべき出力を選択して表示手段に表示させる選択手段とを含むことを特徴とする内燃機関の制御状態表示装置である。
【手続補正書】
【提出日】平成18年7月10日(2006.7.10)
【手続補正１】
【補正対象書類名】明細書
【補正対象項目名】００２２
【補正方法】変更
【補正の内容】
【００２２】
【表１】
2001022105.tif 000001
【手続補正２】
【補正対象書類名】明細書
【補正対象項目名】００５３
【補正方法】変更
【補正の内容】
【００５３】
更に、本発明の電子写真感光体では、顔料の場合は溶剤に分散し、染料やバインダー及び電荷輸送物質は溶解させて使用する。使用する溶剤はクロロホルム、ジクロロエタン、トリクロロエタン、トリクロロエチレンなどのハロゲン化炭化水素、ベンゼン、トルエン、キシレンなどの芳香族炭化水素、ジオキサン、テトラヒドロフラン、ジメトキシエタン等のエーテル系、アセトン、メチルエチルケトン、メチルイソブチルケトン等のケトン系、メチルセロソルブ、ジメチルセロソルブ、メチルセロソルブアセテート等のセロソルブ系などの溶剤の単独または２種以上の混合溶剤または必要に応じてアルコール類、アセトニトリル、Ｎ，Ｎ−ジメチルホルムアミドなどの溶剤を更に加え使用することができる。またドラムに塗工する場合には浸漬塗布方法等が用いられる。
【手続補正３】
【補正対象書類名】明細書
【補正対象項目名】００５８
【補正方法】変更
【補正の内容】
【００５８】
次に下記構造式（８）で示されるヒドラゾン化合物７重量部、下記構造式（９）で示されるヒドラゾン化合物３重量部、合成例１で得た例示化合物（１）−１：０．１重量部、ｔ−ブチルヒドロキノン０．１重量部、α−トコフェロール０．１重量部、ポリカーボネート樹脂（Ｃ−１４００、帝人化成（株）製）４重量部、ポリアリレート樹脂（Ｕポリマー、ユニチカ（株）製）４重量部、ポリエステル樹脂（バイロン２９０、東洋紡（株）製）２重量部を、ジクロロメタン２００重量部に溶解させた溶液をアプリケーターにより塗布し、８０℃で６０分乾燥して、乾燥膜厚２０μｍの電荷輸送層を作製した。
【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  枠体と、該枠体に回転可能に支承されているプラテンと、該プラテンに巻き付けられている記録用紙にプリントを行う印字ヘッドと、前記枠体に回動可能に支承され前記印字ヘッドを支持するヘッド支持部材とを有するラインサーマルプリンタにおいて、前記ヘッド支持部材の弾性力により前記印字ヘッドを前記プラテンに押圧することを特徴とするラインサーマルプリンタ。
【請求項２】  前記ヘッド支持部材は、一端に前記印字ヘッドを支持するヘッド支持部を設け、中央に前記枠体に形成されたヘッド支持部材保持部によって保持される回動中心部を設けたことを特徴とする請求項１記載のラインサーマルプリンタ。
【請求項３】  前記回動中心部は、前記ヘッド支持部材の両側端部に凹状に形成され、前記ヘッド支持部材保持部は、前記回動中心部にはめ合う凸状に形成されていることを特徴とする請求項２記載のラインサーマルプリンタ。
【請求項４】  前記ヘッド支持部材は、前記ヘッド支持部の先端に用紙切断部が形成されていることを特徴とする請求項３記載のラインサーマルプリンタ。
【請求項５】  前記ヘッド支持部材は、「く」の字状に曲げ加工された板材であることを特徴とする請求項４記載のラインサーマルプリンタ。
【手続補正書】
【提出日】平成18年8月10日(2006.8.10)
【手続補正１】
【補正対象書類名】明細書
【補正対象項目名】００１９
【補正方法】変更
【補正の内容】
【００１９】
ここで、請求項１３記載の発明を受けて、請求項２から１２までの感熱製版装置に係る発明特定事項と類似の関係において、以下の技術構成であってもよい。  
すなわち、第１の技術構成は、請求項１３記載の感熱記録装置において、前記サーマルヘッドは、画像データに応じて位置選択的に駆動される複数の発熱体を具備しており、前記特性値が、前記発熱体ごとに累積した発熱体毎累積実印字数であり、前記特性値検出手段は、前記発熱体毎累積実印字数を計数する発熱体毎累積実印字数検出手段からなることを特徴とする。  
第２の技術構成は、請求項１３記載の感熱記録装置において、前記特性値が、感熱記録紙に印字される実印字数を累積した累積実印字数であり、前記特性値検出手段は、前記累積実印字数を計数する累積実印字数検出手段からなることを特徴とする。  
第３の技術構成は、請求項１３記載の感熱記録装置において、前記特性値が、感熱記録回数であり、前記特性値検出手段は、前記感熱記録回数を計数する感熱記録回数検出手段からなることを特徴とする。  
第４の技術構成は、請求項１３記載の感熱記録装置において、前記サーマルヘッドは、画像データに応じて位置選択的に駆動される、主走査方向に配列された複数の発熱体からなる発熱体列を備えており、前記特性値が、前記発熱体列の駆動に対応した印字ライン数であり、前記特性値検出手段は、前記印字ライン数を計数する印字ライン数検出手段からなることを特徴とする。  
第５の技術構成は、請求項１３記載の感熱記録装置、第１の技術構成ないし第４の技術構成の何れか一つに記載の感熱記録装置において、少なくとも二つ以上の前記特性値検出手段を有することを特徴とする。
【手続補正書】
【提出日】平成18年10月13日(2006.10.13)
【手続補正１】
【補正対象書類名】明細書
【補正対象項目名】００２０
【補正方法】変更
【補正の内容】
【００２０】
まず最初はインクジェットヘッド１０の１対の捩子挿通孔１０ｄに１対の固定用捩子１６、１６を挿入し、さらにキャリッジの台座１８の基準表面１８ａの１対の捩子孔１８ｂに１対の固定用捩子１６，１６を螺合させ、１対の固定用捩子１６，１６を緩めた状態でキャリッジの台座１８の基準表面１８ａ上でインクジェットヘッド１０が前述した如き限定された範囲内で移動可能となるよう仮止めしておく。この間にインクジェットヘッド１０は、第１の付勢手段２８及び第２の付勢手段２９の発生する付勢力によりインクジェットヘッド１０のノズル形成面１０ａに沿った相互に略直交する２方向（＋Ｘ方向及び＋Ｙ方向）に付勢されている。
【手続補正２】
【補正対象書類名】明細書
【補正対象項目名】００８３
【補正方法】変更
【補正の内容】
【００８３】
上述した如くしてキャリッジの台座１８の基準表面１８ａ上におけるインクジェットヘッド１０の＋Ｙ方向及び−Ｙ方向における位置及びインクジェットヘッド１０の一端部側（＋Ｙ方向側）の回転支柱３０に対応するコマ部材５０の外周面の湾曲部とインクジェットヘッド１０のテーパ状の側面５８との接点を回動中心とした傾き角が調整された後は、１対の固定用捩子１６を締め付け、キャリッジの台座１８の基準表面１８ａ上におけるインクジェットヘッド１０の位置を固定する。
【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】  記録媒体の搬送方向に配列された複数の記録要素を備えた記録ヘッドを前記搬送方向と交差する方向に走査しながら、マルチパス記録によって前記記録媒体に記録を行なう記録方法において、
前記マルチパス記録の各パス記録に合わせて記録データをマスクするマスクパターンの前記搬送方向に関するサイズを前記記録ヘッドに配列された前記複数の記録要素の数に合わせ、前記マスクパターンを前記各パス記録に関して共通化することを特徴とする記録方法。
【請求項２】  前記記録ヘッドはインクジェット記録ヘッドであり、
前記インクジェット記録ヘッドから吐出されるインク液滴によって前記記録媒体に記録されるドット位置の誤差を前記複数の記録要素毎に検出する検出工程をさらに有し、
前記検出工程において検出される検出結果に従って、前記誤差の小さな記録要素を用いる頻度が大きくなるように生成したマスクパターンを用いて記録を行なうことを特徴とする請求項１に記載の記録方法。
【請求項３】  前記マスクパターンはルックアップテーブル形式で形成され、
前記検出工程において検出される検出結果に従って、前記ルックアップテーブルの内容を更新する更新工程をさらに有することを特徴とする請求項２に記載の記録方法。
【請求項４】  前記誤差は、前記記録媒体の搬送方向に関する誤差、或いは、前記記録ヘッドの走査方向に関する誤差、或いは、前記記録媒体の搬送方向及び前記記録ヘッドの走査方向に関する誤差を含むことを特徴とする請求項２に記載の記録方法。
【請求項５】  前記検出工程において検出される検出結果に従って、前記記録データの並びを入れ替える入替工程をさらに含むことを特徴とする請求項２に記載の記録方法。
【請求項６】  前記入れ替えは、前記記録媒体の搬送方向に関する記録データの並びの入替、或いは、前記記録ヘッドの走査方向に関する記録データの並びの入替、或いは、前記記録媒体の搬送方向及び前記記録ヘッドの走査方向に関する記録データの並びの入替を含むことを特徴とする請求項５に記載の記録方法。
【請求項７】  前記インクジェット記録ヘッドは、熱エネルギーを利用してインクを吐出するために、インクに与える熱エネルギーを発生するための電気熱変換体を備えていることを特徴とする請求項２に記載の記録方法。
【請求項８】  記録媒体を搬送する搬送手段と、
前記記録媒体の搬送方向に複数の記録要素を備えたインクジェット記録ヘッドと、
前記インクジェット記録ヘッドを往復走査する走査手段と、
記録データを一時的に格納する記録バッファと、
前記記録バッファに格納された記録データに基づいて、前記インクジェット記録ヘッドを用いながら、さらに、各パス記録に合わせて記録データをマスクするマスクパターンを用いたマルチパス記録によって、前記記録媒体に記録を行なうよう制御する制御手段とを有し、
前記マスクパターンの前記搬送方向に関するサイズを前記記録ヘッドに配列された前記複数の記録要素の数に合わせ、前記マスクパターンを前記各パス記録に関して共通化することを特徴とする記録装置。
【請求項９】  前記インクジェット記録ヘッドから吐出されるインク液滴によって前記記録媒体に記録されるドット位置の誤差を前記複数の記録要素毎に検出する検出手段をさらに有し、
前記検出手段によって検出される検出結果に従って、前記誤差の小さな記録要素を用いる頻度が大きくなるように生成したマスクパターンを用いて記録を行なうことを特徴とする請求項８に記載の記録装置。
【請求項１０】  前記マスクパターンはルックアップテーブル形式で形成され、
前記検出手段によって検出される検出結果に従って、前記ルックアップテーブルの内容を更新する更新手段をさらに有することを特徴とする請求項９に記載の記録装置。
【請求項１１】  前記誤差は、前記記録媒体の搬送方向に関する誤差、或いは、前記記録ヘッドの走査方向に関する誤差、或いは、前記記録媒体の搬送方向及び前記記録ヘッドの走査方向に関する誤差を含むことを特徴とする請求項９に記載の記録装置。
【請求項１２】  前記検出手段によって検出される検出結果に従って、前記記録データの並びを入れ替える入替手段をさらに含むことを特徴とする請求項９に記載の記録装置。
【請求項１３】  前記入れ替えは、前記記録媒体の搬送方向に関する記録データの並びの入替、或いは、前記記録ヘッドの走査方向に関する記録データの並びの入替、或いは、前記記録媒体の搬送方向及び前記記録ヘッドの走査方向に関する記録データの並びの入替を含むことを特徴とする請求項１２に記載の記録装置。
【請求項１４】  前記インクジェット記録ヘッドは、熱エネルギーを利用してインクを吐出するために、インクに与える熱エネルギーを発生するための電気熱変換体を備えていることを特徴とする請求項８に記載の記録装置。
【請求項１５】  複数の記録要素を配列した記録ヘッドを記録媒体への記録を行いながら第１の方向に移動走査する記録走査と、前記第１の方向とは異なる第２の方向に前記記録媒体を搬送する記録媒体搬送とを行うことにより、前記記録媒体上の同一の領域に対して複数回の前記記録走査によって画像を形成する記録装置であって、
前記画像をマスクするマスクパターンであって、前記第２の方向に関する前記マスクパターンのサイズが前記複数の記録要素の数と対応しているマスクパターンを格納するメモリと、
前記画像を前記マスクパターンに従って、前記複数回の記録走査のそれぞれの記録走査における記録に用いる記録データを生成する生成手段とを有し、
前記生成手段は、それぞれの記録走査における記録データを生成するときに同じマスクパターンを用い、かつ、前記複数回の記録走査のうちの所定の記録走査と前記所定の記録走査と異なる記録走査とで、前記マスクパターンの前記第１の方向に関する読み出し位置が異なるようにすることを特徴とする記録装置。
【手続補正２】
【補正対象書類名】明細書
【補正対象項目名】００１２
【補正方法】変更
【補正の内容】
【００１２】
即ち、記録媒体の搬送方向に配列された複数の記録要素を備えた記録ヘッドを前記搬送方向と交差する方向に走査しながら、マルチパス記録によって前記記録媒体に記録を行なう記録方法において、前記マルチパス記録の各パス記録に合わせて記録データをマスクするマスクパターンの前記搬送方向に関するサイズを前記記録ヘッドに配列された前記複数の記録要素の数に合わせ、前記マスクパターンを前記各パス記録に関して共通化することを特徴とする記録方法を備える。
【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  インクが吐出するインク吐出口と、該インク吐出口を一方の開口端とする液路と、該液路の他方の開口端を介して該液路に連通する液室と、前記インク吐出口から所定のタイミングでインクを吐出させるために前記液路を加熱するインク吐出用ヒータとが形成された印字ヘッドにおいて、
前記液路に貯まったインクの温度を検知するインク温度検知手段と、
前記液路に貯まったインクを所定温度に暖める、前記インク温度検知手段で検知された温度に基づいて制御される加熱手段とを備え、
前記加熱手段は、前記インク吐出口の近傍に配置された第１ヒータと、前記液路の前記他方の開口端の近傍に配置された第２ヒータとからなるものであることを特徴とする印字ヘッド。
【請求項２】  インクが吐出するインク吐出口と、該インク吐出口を一方の開口端とする液路と、該液路の他方の開口端を介して該液路に連通する液室と、前記インク吐出口から所定のタイミングでインクを吐出させるために前記液路を加熱するインク吐出用ヒータとが形成された印字ヘッドを所定の主走査方向に走査させながら前記インク吐出口からインクを吐出して記録媒体に画像を形成するインクジェット方式画像形成装置において、
前記印字ヘッドは、前記液路に貯まったインクを所定温度に暖める加熱手段を備えたものであり、
前記インク吐出口からインクを吸引してインク吐出状態を初期の吐出状態に回復させるインク吸引動作を行うインク吸引手段と、
該インク吸引手段によって前記インク吸引動作を行うに先立って、前記液路に貯まったインクを所定温度に暖めるように前記加熱手段を制御する制御手段と、
前記液路に貯まったインクの温度を検知するインク温度検知手段と、
周囲の環境の温度を検知する環境温度検知手段とを備え、
前記制御手段は、
前記インク温度検知手段で検知された温度又は前記環境温度検知手段で検知された温度に基づいて前記加熱手段を制御するものであることを特徴とするインクジェット方式画像形成装置。
【請求項３】  周囲の環境の湿度を検知する環境湿度検知手段を備え、
前記加熱手段は、前記インク吐出口の近傍に配置された第１ヒータと、前記液路の前記他方の開口端の近傍に配置された第２ヒータとからなるものであり、
前記制御手段は、該環境湿度検知手段で検知された温度に基づいて前記第１ヒータ及び前記第２ヒータを制御するものであることを特徴とする請求項２に記載のインクジェット方式画像形成装置。
【請求項４】  前記制御手段は、液路に貯まったインクの乾燥特性に基づいて前記加熱手段を制御するものであることを特徴とする請求項２又は３に記載のインクジェット方式画像形成装置。
【手続補正２】
【補正対象書類名】明細書
【補正対象項目名】００１１
【補正方法】変更
【補正の内容】
【００１１】
【課題を解決するための手段】
上記目的を達成するための本発明の印字ヘッドは、インクが吐出するインク吐出口と、該インク吐出口を一方の開口端とする液路と、該液路の他方の開口端を介して該液路に連通する液室と、前記インク吐出口から所定のタイミングでインクを吐出させるために前記液路を加熱するインク吐出用ヒータとが形成された印字ヘッドにおいて、
（１）前記液路に貯まったインクの温度を検知するインク温度検知手段と、
（２）前記液路に貯まったインクを所定温度に暖める、前記インク温度検知手段で検知された温度に基づいて制御される加熱手段とを備え、
（３）前記加熱手段は、前記インク吐出口の近傍に配置された第１ヒータと、前記液路の前記他方の開口端の近傍に配置された第２ヒータとからなるものであることを特徴とするものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、上記目的を達成するための本発明のインクジェット方式画像形成装置は、インクが吐出するインク吐出口と、該インク吐出口を一方の開口端とする液路と、該液路の他方の開口端を介して該液路に連通する液室と、前記インク吐出口から所定のタイミングでインクを吐出させるために前記液路を加熱するインク吐出用ヒータとが形成された印字ヘッドを所定の主走査方向に走査させながら前記インク吐出口からインクを吐出して記録媒体に画像を形成するインクジェット方式画像形成装置において、
（４）前記印字ヘッドは、前記液路に貯まったインクを所定温度に暖める加熱手段を備えたものであり、
（５）前記インク吐出口からインクを吸引してインク吐出状態を初期の吐出状態に回復させるインク吸引動作を行うインク吸引手段と、
（６）該インク吸引手段によって前記インク吸引動作を行うに先立って、前記液路に貯まったインクを所定温度に暖めるように前記加熱手段を制御する制御手段と、
（７）前記液路に貯まったインクの温度を検知するインク温度検知手段と、
（８）周囲の環境の温度を検知する環境温度検知手段とを備え、
（９）前記制御手段は、前記インク温度検知手段で検知された温度又は前記環境温度検知手段で検知された温度に基づいて前記加熱手段を制御するものであることを特徴とするものである。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
また、
（１０）上記のインクジェット方式画像形成装置は、周囲の環境の湿度を検知する環境湿度検知手段を備え、
（１１）前記加熱手段は、前記インク吐出口の近傍に配置された第１ヒータと、前記液路の前記他方の開口端の近傍に配置された第２ヒータとからなるものであり、
（１２）前記制御手段は、該環境湿度検知手段で検知された温度に基づいて前記第１ヒータ及び前記第２ヒータを制御するものであってもよい。
【手続補正９】
【補正対象書類名】明細書
【補正対象項目名】００１８
【補正方法】変更
【補正の内容】
【００１８】
さらに、
（１３）前記制御手段は、液路に貯まったインクの乾燥特性に基づいて前記加熱手段を制御するものであってもよい。
【手続補正書】
【提出日】平成18年8月2日(2006.8.2)
【手続補正１】
【補正対象書類名】明細書
【補正対象項目名】請求項１
【補正方法】変更
【補正の内容】
【請求項１】  中空糸膜束の両端部分がポッティング剤で固定される中空糸膜型体液処理器用の筒状容器において、
該筒状容器は、前記中空糸膜束が充填される長さ１６０〜２４０ｍｍの範囲の胴部を有し、該胴部は、抜きテーパーを実質的に持たない内周面を備えることを特徴とする中空糸膜型体液処理器用の筒状容器。
【手続補正２】
【補正対象書類名】明細書
【補正対象項目名】請求項４
【補正方法】変更
【補正の内容】
【請求項４】  前記胴部の内径の最小値に対する前記胴部の長さの割合が、６．０〜９．０の範囲とされていることを特徴とする請求項１乃至３のいずれか一項に記載の中空糸膜型体液処理器用の筒状容器。
【手続補正３】
【補正対象書類名】明細書
【補正対象項目名】００１２
【補正方法】変更
【補正の内容】
【００１２】
それは、胴部１０Ａ´が、その中央部分に向かうに連れて内径を小さくされる形状であることから、筒状容器１０´の片端から前記中空糸膜束を組み入れる際には、該中空糸膜束の組み入れ抵抗が徐々に増加し、組み入れが困難になるという問題点である。換言すれば、前記各中空糸膜は、繊細で、かつ、脆弱なものであるため、胴部１０Ａ´内に無理に組み入れると、各中空糸の折れ、曲がり等の外観品質の悪化を招き、また、前記各中空糸の折れ、曲がりが激しい場合には、その部分で血液のリークが発生することのほか、組み入れられた中空糸膜束が雑然と並び、血液や透析液の流れムラによる性能低下が生じて体液処理器の信頼性を低下させるという問題が懸念される。なお、前記各中空糸の折れ、曲がりは、検査工程で欠陥品として除外されるものであるが、これは製品ロスにつながることにもなる。
【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】    【請求項１】  内壁と先端を有する先端部分とを備える細長い中空軸と、前記中空軸の内部で移動可能なように配置され前記中空軸から延出する先端を有するコアワイヤであって、該コアワイヤの先端の周囲に可撓性先端部材が固定されるコアワイヤと、先端を有し前記中空軸先端部分の周囲で摺動自在に配置され前記中空軸先端部分から先端方向に延出して前記先端部材の基端部分を包囲する移行スリーブと、先端が前記移行スリーブの周囲に固定してあり基端が前記中空軸先端部分より基端側で前記中空軸に固定されたほぼ管状の保護要素であって、前記保護要素の前記先端及び基端の間での相対的な長手方向の移動により前記保護要素の折り畳み状態と拡張状態の間で変形するように構成された保護要素と、を含むことを特徴とするガイドワイヤ装置。    【請求項２】  前記コアワイヤと前記中空軸の間に間置され、内表面と外表面とを有し、該表面の少なくとも一方が低い摩擦係数を有するライナー、を更に含むことを特徴とする請求項１に記載のガイドワイヤ装置。    【請求項３】  前記ライナーの内表面は低い摩擦係数を有し前記コアワイヤに対して半径方向のクリアランスを提供するような寸法であることを特徴とする請求項２に記載のガイドワイヤ装置。    【請求項４】  前記ライナーの外表面は低い摩擦係数を有し前記中空軸内壁に対して半径方向のクリアランスを提供するような寸法であることを特徴とする請求項２に記載のガイドワイヤ装置。    【請求項５】  前記ライナーの内表面と外表面は共に低い摩擦係数を有し、前記ライナーは、前記ライナー内表面と前記コアワイヤの間、及び前記ライナー外表面と前記中空軸内壁の間に、半径方向のクリアランスが存在するような寸法である、ことを特徴とする請求項２に記載のガイドワイヤ装置。    【請求項６】  コアワイヤ基端が前記中空軸基端から延出することを特徴とする請求項１に記載のガイドワイヤ装置。    【請求項７】  前記中空軸基端内部で前記コアワイヤの一部に１箇所又はそれ以上の屈曲が形成され、前記１箇所又はそれ以上の屈曲は前記中空軸内壁に対して摩擦係合を提供し前記コアワイヤに沿って前記ライナーが基端方向に滑り出すことを防止するように構成されていることを特徴とする請求項６に記載のガイドワイヤ装置。    【請求項８】  前記中空軸から延出する前記コアワイヤ基端の一部は直径が拡大していることを特徴とする請求項６に記載のガイドワイヤ装置。    【請求項９】  補強コイルが前記拡大した部分と前記中空軸基端の間で前記コアワイヤの一部を包囲することを特徴とする請求項８に記載のガイドワイヤ装置。    【請求項１０】  前記中空軸基端は前記コアワイヤに固定的に取り付けられ、前記中空軸基端に近い前記中空軸の一部は螺旋形に切り込まれて前記コアワイヤの一部を包囲する可変長補強コイルを形成することを特徴とする請求項６に記載のガイドワイヤ装置。    【請求項１１】  前記保護要素がフィルタであることを特徴とする請求項１に記載のガイドワイヤ装置。    【請求項１２】  前記保護要素が閉塞装置であることを特徴とする請求項１に記載のガイドワイヤ装置。    【請求項１３】  前記移行スリーブ先端は前記先端部材基端部分の周囲に固定されることを特徴とする請求項１に記載のガイドワイヤ装置。    【請求項１４】  前記移行スリーブ先端は前記先端部材基端部分の周囲で摺動可能なように配置してあり、一対のストップ要素により前記移行スリーブ先端が前記先端部材より基端側に滑り出さないようにすることを特徴とする請求項１に記載のガイドワイヤ装置。    【請求項１５】  前記保護要素は拡張状態へ自己拡張することが可能であることを特徴とする請求項１に記載のガイドワイヤ装置。    【請求項１６】  前記中空軸は金属チューブを含むことを特徴とする請求項１に記載のガイドワイヤ装置。    【請求項１７】  前記金属チューブはニチノールを含むことを特徴とする請求項１６に記載のガイドワイヤ装置。    【請求項１８】  前記ライナーはポリマー製チューブを含むことを特徴とする請求項２に記載のガイドワイヤ装置。    【請求項１９】  前記ポリマー製チューブはポリイミドを含むことを特徴とする請求項１８に記載のガイドワイヤ装置。    【請求項２０】  前記少なくとも一方の低摩擦表面はフッ化ポリマー充填材を含有するポリイミドの層を含むことを特徴とする請求項１９に記載のガイドワイヤ装置。    【請求項２１】  前記少なくとも一方の低摩擦表面はプラズマによる表面改質を含むことを特徴とする請求項１８に記載のガイドワイヤ装置。    【請求項２２】  前記ポリマーチューブはポリエチレン・ブロック・アミド・コポリマーを含むことを特徴とする請求項２１に記載のガイドワイヤ装置。    【請求項２３】  前記ライナーはコイル状のフィラメントを含むことを特徴とする請求項２に記載のガイドワイヤ装置。    【請求項２４】  滑性コーティングが前記コアワイヤ上に配されることを特徴とする請求項１に記載のガイドワイヤ装置。    【請求項２５】  前記中空軸は約０．３６ミリメートル（０．０１４インチ）の外径を有することを特徴とする請求項１に記載のガイドワイヤ装置。    【請求項２６】  前記中空軸は約０．２３ミリメートル（０．００９インチ）の内径を有することを特徴とする請求項１に記載のガイドワイヤ装置。    【請求項２７】  前記コアワイヤ先端及び基端部分は約０．１５ミリメートル（０．００６インチ）の直径を有することを特徴とする請求項１に記載のガイドワイヤ装置。    【請求項２８】  前記ライナーは約０．２２ミリメートル（０．００８８インチ）の外径を有することを特徴とする請求項２に記載のガイドワイヤ装置。    【請求項２９】  前記ライナーは約０．１８ミリメートル（０．００６９インチ）の内径を有することを特徴とする請求項２８に記載のガイドワイヤ装置。
【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】 動物（１４）の血圧を連続的に且つ非侵襲性で監視する装置（１０）において、前記動物（１４）のインピーダンスを測定し、そのインピーダンスから血液量パルスが前記動物（１４）の心臓から放出される時を検出する機器（１２、４０）と、前記動物（１４）の別の位置で発生する血液量パルスを検出するセンサ（２８、４０）と、前記機器（１２、４０）及び前記センサ（２８又は４０）に接続され、血液量パルスが前記心臓から放出される時から前記動物（１４）の前記別の位置で血液量パルスが発生する時までに経過する時間間隔を測定するタイマ（２４）と、前記タイマ（２４）により測定された前記時間間隔から前記動物（１４）の前記血圧を取得するプロセッサ（３０）とを具備する装置（１０）。
【請求項２】 前記タイマ（２４）は、血液量パルスが前記心臓から放出される時から前記センサ（２８又は４０）により検知された前記血液量パルス上の所定の基準点までに経過する時間間隔を測定する請求項１記載の装置（１０）。
【請求項３】 前記所定の基準点は、前記血液量パルスが最小値を有する点であり、前記プロセッサ（３０）により得られる前記血圧は拡張期血圧に対応する請求項２記載の装置（１０）。
【請求項４】 前記所定の基準点は、前記血液量パルスが最大値を有する点であり、前記プロセッサ（３０）により得られる前記血圧は収縮期血圧に対応する請求項２記載の装置（１０）。
【請求項５】 動物（１４）の血圧を連続的に且つ非侵襲性で監視する装置（１０）において、前記動物（１４）の胸部インピーダンスを測定し、その胸部インピーダンスから血液量パルスが心臓から放出された時を検出するインピーダンスカルジオグラフ（１２）と、前記インピーダンスカルジオグラフ（１２）に接続される心電計（２０）と、血液量パルスが前記動物（１４）の第２の位置で発生する時を検出するセンサ（２８又は４０）と、前記インピーダンスカルジオグラフ（１２）及び前記センサ（２８又は４０）に接続され、血液量パルスが前記心臓から放出される時から前記第２の位置で血液量パルスが発生する時までに経過する時間間隔を測定するタイマ（２４）と、前記タイマ（２４）により測定された前記時間間隔から前記動物（１４）の前記血圧を取得するプロセッサ（３０）とを具備する装置（１０）。
【請求項６】 前記センサ（２８又は４０）は、前記動物（１４）の第２の位置で別のインピーダンスを測定し、それから前記第２の位置で血液量パルスが発生する時を判定する請求項５記載の装置（１０）。
【請求項７】 前記センサ（２８又は４０）は、パルスオキシメータ（２６）である請求項５記載の装置（１０）。
【請求項８】 前記血圧の基準測定値を使用して前記タイマ（２４）により測定される前記時間間隔から前記動物（１４）の前記血圧の導出を校正する前記プロセッサ（３０）に血圧の基準測定値を定期的に供給する非連続血圧モニタ（３２）を更に具備する請求項５記載の装置（１０）。
【請求項９】 心臓を有する動物（１４）の血圧を連続的に且つ非侵襲性で監視する方法において、前記動物（１４）の胸部インピーダンスを測定することと、前記胸部インピーダンスから血液量パルスが前記心臓から放出される時を判定することと、前記動物（１４）の別の位置で発生する血液量パルスを検知することと、血液量パルスが心臓から放出される時から前記別の位置における前記血液量パルスの発生までに経過する時間間隔を測定することと、前記タイマ（２４）により測定された前記時間間隔から前記動物（１４）の前記血圧を取得することとから成る方法。
【請求項１０】 前記動物（１４）の心臓の活動を表す心電図波形を生成することと、前記胸部インピーダンス及び前記心電図波形に応答して心臓拍出量測定値を取得することと、前記心臓拍出量測定値を使用して前記動物（１４）の前記血圧の導出に対して血管コンプライアンスによる影響を補償することとを更に含む請求項９記載の方法。
【手続補正２】
【補正対象書類名】明細書
【補正対象項目名】０００３
【補正方法】変更
【補正の内容】
【０００３】
連続的に血圧を測定するための間接非侵襲性プロセスは、パルス通過時間（ＰＴＴ）に基づいている。パルス通過時間とは、心臓からの血圧パルスが血管系の２つの点の一方から他方へ伝播するのに要する時間である。この技術のための装置の１つは、血圧パルスが大動脈に入るときに心臓内の電気信号を検知して指標を提供する心電計を含む。血圧パルスがいつその位置に到達したかを検知するために、パルスオキシメータが患者の人差し指に配置される。心臓から人差し指までのパルス通過時間が測定され、自動振動測定法などの別の手段により測定される既存の血圧に合わせて校正される。これにより、パルス通過時間における変化は血圧における変化に対応するようになる。一般的に、通過時間が速いと血圧も高くなる。従って、パルス通過時間における変化は血圧における変化と同等であると考えることができる。
【特許文献１】米国特許第４，３６０，０２９号
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】 基準位置に対して配列させた検出器素子からなるアレイ（７６０）を有し、かつ該検出器素子アレイ（７６０）を照射するようなパターンで移動するエネルギー源（７１０）を有するイメージング・システム（７００）を較正するための方法であって、イメージング・システム（７００）内の基準位置に対して規定されるような検出器素子アレイ（７６０）の推定検出器位置及びエネルギー源（７１０）の推定移動パターンを起動させるステップと、その内部の各位置にピンを配置させたファントーム（７７５）をスキャンするステップ（３２０）と、ファントーム（７７５）内のピンに関して、前記推定検出器位置と移動パターンの少なくとも一方に基づいて前記基準位置に対するピン推定位置を算出するステップ（３３０）と、前記推定検出器位置、移動パターン及びピン位置のうちの少なくとも２つに基づいて前記推定検出器位置とピン位置の少なくとも一方を修正するステップ（３４０、３５０）と、前記推定検出器位置とピン位置の少なくとも一方に基づいて移動パターンの変動を決定するステップと、前記変動に基づいてエネルギー源（７１０）の前記移動パターンを調整するステップ（３８５、３９０）と、を含む方法。
【請求項２】 前記変動は前記移動パターンの半径変動を含む、請求項１に記載の方法。
【請求項３】 前記変動決定のステップが、時間を追ったコイル電流を用いて前記移動パターンの角度変動を決定することを含む、請求項１に記載の方法。
【請求項４】 イメージング・システム（７００）を較正するためのシステムであって、基準点に対して配列させた検出器素子からなるアレイ（７６０）と、前記検出器素子アレイ（７６０）を照射するようにあるパターンで移動しているエネルギー源（７１０）と、推定検出器位置及び前記エネルギー源（７１０）の推定移動パターンを算出する再構成システム（７５５）と、前記エネルギー源（７１０）の前記移動パターンの半径を、該半径の所望半径からの時間を追った変動に基づいて補正するための半径向けビーム補正モジュール（７８０）と、前記移動パターンの角度を、該移動パターンの位置の所望位置からの時間を追った変動に基づいて調整している角度向けビーム調整モジュール（７９０）と、を備えるシステム。
【請求項５】 さらに、前記移動パターンの前記半径、前記位置及び前記角度のうちの少なくとも１つの決定に使用するマルチピン・ファントーム（７７５）を備える請求項４に記載のシステム。
【請求項６】 さらに、前記移動パターンの半径、位置及び角度の変動のうちの少なくとも１つを生じさせるために使用する偏向値を時間を追って記憶するための偏向バッファを備える請求項４に記載のシステム。
【請求項７】 さらに、前記移動パターンの前記半径を補正するために集束コイル（７２０）と偏向コイル（７３０）の少なくとも一方を備える請求項４に記載のシステム。
【請求項８】 さらに、前記半径及び角度データを取得するための再構成システム（７５５）を備える請求項４に記載のシステム。
【請求項９】 Ｘ線システムにおいて電子ビームをチューニングするための方法（８００）であって、電子ビームのビームスポット半径の複数の時間間隔での変更に基づいて電子ビームの半径ゆらぎを補正するステップ（３８５）と、電子ビームスポット位置の複数の時間間隔での変更に基づいて電子ビームの角度偏差を調整するステップ（３９０）と、を含む方法。
【請求項１０】 Ｘ線イメージング・システムにおいて電子ビームをチューニングするための方法であって、マルチピン・ファントーム（７７５）を使用してＸ線システムの幾何学的パラメータを計測して計測パラメータ値を取得するステップと、前記計測パラメータ値と所望パラメータ値の組の間の変動を補正して補正パラメータ値を作成するステップと、前記補正パラメータ値に基づいて電子ビームのコイル電流を修正するステップと、を含む方法。
【手続補正書】
【提出日】平成18年2月22日(2006.2.22)
【手続補正１】
【補正対象書類名】明細書
【補正対象項目名】０００５
【補正方法】変更
【補正の内容】
【０００５】
Ｘ線コリメータの用途では、ランプ交換は、正確な光学的調整を必要とするので、有資格サービス技術者により実施される作業である。頻繁にランプが取換えられる必要があればあるほど、休止時間及び労働コストの発生率は高くなる。従って、照準器照明システムの従来の性能特性を維持し又は超えると同時に、Ｘ線コリメータの用途における照準器のランプ寿命を延ばすことが望ましい。
【特許文献１】米国特許第４８９１７３９号
【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  生体内部位を画像化するための生体内画像化システムであって、前記システムは嚥下可能カプセルを含み、前記嚥下可能カプセルは少なくとも、
撮像装置と、
複数の照明源とを含み、前記複数の照明源の各々は別々の期間に動作させられる、システム。
【請求項２】  前記複数の照明源のうち少なくとも２つは、異なった角度から生体内部位を照明するよう構成される、請求項１に記載のシステム。
【請求項３】  前記複数の照明源のうち少なくとも１つは、前記複数の照明源のうち異なる１つにより生成される照明レベルとは異なる照明レベルをもたらす、請求項１に記載のシステム。
【請求項４】  前記複数の照明源の各々は同じスペクトルの照明を生成する、請求項１に記載のシステム。
【請求項５】  前記カプセルは、画像データを送信するための送信機を含む、請求項１に記載のシステム。
【請求項６】  前記カプセルは電池を含む、請求項１に記載のシステム。
【請求項７】  前記照明源を選択的な態様で制御するよう構成された制御装置を含む、請求項１に記載のシステム。
【請求項８】  送信された画像データを受信するよう構成された受信ユニットを含む、請求項１に記載のシステム。
【請求項９】  ３次元および表面配向情報を描く単一の画像を画像対から作成するよう構成されたプロセッサを含む、請求項８に記載のシステム。
【請求項１０】  生体内部位を画像化するための生体内画像化システムであって、前記システムは嚥下可能カプセルを含み、前記カプセルは少なくとも、
撮像装置と、
複数の照明源とを含み、前記複数の照明源の各々は異なったスペクトルを生成することができる、システム。
【請求項１１】  前記照明源のうち少なくとも１つは、赤外スペクトルでの照明を生成する、請求項１０に記載のシステム。
【請求項１２】  前記照明源のうち少なくとも１つは、紫外スペクトルでの照明を生成する、請求項１０に記載のシステム。
【請求項１３】  前記カプセルは送信機を含む、請求項１０に記載のシステム。
【請求項１４】  前記カプセルはモザイクフィルタを含む、請求項１０に記載のシステム。
【請求項１５】  送信された画像データを受信するよう構成された受信ユニットを含む、請求項１０に記載のシステム。
【請求項１６】  ３次元および表面配向情報を描く単一の画像を画像対から作成するよう構成されたプロセッサを含む、請求項１５に記載のシステム。
【請求項１７】  生体内部位を画像化するための生体内画像化システムであって、前記システムは嚥下可能カプセルを含み、前記カプセルは、
撮像装置と、
複数の照明源とを含み、前記複数の照明源は互いに隔てられて選択的に動作可能であり、前記複数の照明源からの照明により生じた複数の反射された画像の組合せは、前記生体内部位の３次元的様相についての情報をもたらす、システム。
【請求項１８】  前記複数の照明源の各々は別々の期間に動作させられる、請求項１７に記載のシステム。
【請求項１９】  前記複数の照明源の各々は同じ期間に動作させられ、
前記複数の照明源のうちの少なくとも１つは、前記複数の照明源のうち異なる１つにより生じた照明のスペクトルとは異なるスペクトルでの照明を生成する、または同じスペクトルの照明を生成する、請求項１７に記載のシステム。
【請求項２０】  前記カプセルは送信機を含む、請求項１７に記載のシステム。
【請求項２１】  前記照明源のうち少なくとも１つは、赤外スペクトルでの照明を生成する、請求項１７に記載のシステム。
【請求項２２】  前記照明源のうち少なくとも１つは、実質的に白色光である照明を生成する、請求項１７に記載のシステム。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
バッテリ電源と、
前記バッテリ電源から所定電圧を生成するスイッチングレギュレータと、
前記スイッチングレギュレータの入力側に、周波数特性の異なる複数のコンデンサとを備えることを特徴とするスイッチング電源装置。
【請求項２】
バッテリ電源と、
前記バッテリ電源から所定電圧を生成するスイッチングレギュレータと、
前記スイッチングレギュレータの入力側に、容量の異なる複数のコンデンサとを備えることを特徴とするスイッチング電源装置。
【請求項３】
請求項１または２記載のスイッチング電源装置において、
前記スイッチングレギュレータの入力側に備えた前記複数のコンデンサのうち少なくとも一つの容量（Ｃin）は、該スイッチングレギュレータの出力電圧（Ｖout ）と該スイッチングレギュレータの出力側に備えた他のコンデンサ（Ｃout ）との積を前記バッテリ電源の電圧（Ｖin）で除算した容量値以上であることを特徴とするスイッチング電源装置。
【請求項４】
請求項１乃至３のいずれか一に記載のスイッチング電源装置において、
前記複数のコンデンサのうち少なくとも一つは、アルミ電解コンデンサであり、前記複数のコンデンサのうち少なくとも一つは、積層セラミックコンデンサであることを特徴とするスイッチング電源装置。
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
筒内に燃料を噴射するための燃料噴射手段を有する内燃機関の高圧燃料供給装置であって、
内燃機関により駆動される高圧燃料ポンプと、
前記高圧燃料ポンプから前記燃料噴射手段に燃料を供給する高圧配管と、
前記高圧燃料ポンプと前記高圧配管との間に設けられたリーク機能付き作動弁とを含み、
前記リーク機能付き作動弁における単位時間あたりのリーク量が、前記高圧燃料ポンプにより加圧されて吐出される最低吐出量を用いて算出される単位時間あたりの吐出量以上に設定された、内燃機関の高圧燃料供給装置。
【請求項２】
前記作動弁は、チェック弁である、請求項１に記載の内燃機関の高圧燃料供給装置。
【請求項３】
筒内に燃料を噴射するための燃料噴射手段を有する内燃機関の高圧燃料供給装置の設計方法であって、
内燃機関により駆動される高圧燃料ポンプにより加圧されて吐出される単位時間あたりの最低吐出量を算出する算出ステップと、
前記高圧燃料ポンプと、前記高圧燃料ポンプから前記燃料噴射手段に燃料を供給する高圧配管との間に設けられたリーク機能付き作動弁における単位時間あたりのリーク量を、前記単位時間あたりの最低吐出量以上に設定する設定ステップとを含む、内燃機関の高圧燃料供給装置の設計方法。
【請求項４】
前記算出ステップは、内燃機関の回転数を用いて、前記単位時間あたりの最低吐出量を算出するステップを含む、請求項３に記載の内燃機関の高圧燃料供給装置の設計方法。
【請求項５】
前記算出ステップは、内燃機関のアイドル回転数を用いて、前記単位時間あたりの最低吐出量を算出するステップを含む、請求項３に記載の内燃機関の高圧燃料供給装置の設計方法。